(57)【要約】【課題】  タイルを固定するための樹脂マット及びこれを用いたタイルマットにおいて、タイルを樹脂マット上に着脱可能に接合固定することで、タイルの組み合わせ等を変更可能とする。【解決手段】  樹脂マット３０と、この樹脂マット上に固定されるタイル２０からなるタイルマット１０において、樹脂マット上の所定個所に嵌合穴３５を形成する。この嵌合穴は、樹脂マットに貫通して設けた穴周縁部から内向きに突設した複数の爪状弾性片３７を備える。前記タイルの下面に、前記嵌合穴に着脱可能に嵌合する首部２１ａ付きの嵌合突部２１を突設する。そして、前記爪状弾性片により嵌合突部を弾性保持することで、タイルを樹脂マットに対し着脱可能に構成する。【選択図】        図１
0003166366.tif 000002
【実用新案登録請求の範囲】
【請求項１】
タイルを固定するための樹脂マットであって、
前記樹脂マットは、その上面に前記タイルを接合させるための接合部を備え、
この接合部には、前記タイルの下面に突設されている嵌合突部を着脱可能に嵌合保持する嵌合穴が貫通して設けられ、
この嵌合穴の穴周縁部には、複数の爪状弾性片が周方向の所定間隔をおいた位置から内向きに突設され、
これらの爪状弾性片は、前記嵌合穴に前記タイルの嵌合突部が嵌合されたときに弾性変形して該嵌合突部の抜けだしを係止保持するように構成されていることを特徴とする樹脂マット。
【請求項２】
請求項１記載の樹脂マットにおいて、
前記嵌合穴の穴周縁部は、薄肉状のすり割り片として形成されていることを特徴とする樹脂マット。
【請求項３】
請求項１または請求項２記載の樹脂マットにおいて、
前記樹脂マットは、その上面に一枚のタイルまたは複数枚のタイルを所定の配列状態に並べて接合できる大きさで形成されていることを特徴とする樹脂マット。
【請求項４】
樹脂マットと、この樹脂マット上に固定されるタイルからなるタイルマットにおいて、
前記樹脂マット上の所定個所に嵌合穴を形成するとともに、
前記タイルの下面に、前記嵌合穴に着脱可能に嵌合する嵌合突部を突設したことを特徴とするタイルマット。
【請求項５】
請求項４記載のタイルマットにおいて、
前記嵌合穴は、樹脂マット上に設けた穴周縁部から内向きに突設した複数の爪状弾性片を備え、これらの爪状弾性片により前記嵌合突部を弾性保持するように構成されていることを特徴とするタイルマット。
【請求項６】
請求項４または請求項５記載のタイルマットにおいて、
前記嵌合穴の穴周縁部は、薄肉状のすり割り片として形成されていることを特徴とするタイルマット。
【請求項７】
請求項４ないし請求項６のいずれか１項に記載のタイルマットにおいて、
前記嵌合突部は、先端部よりも小径な首部を有していることを特徴とするタイルマット。
【請求項８】
請求項４ないし請求項７のいずれか１項に記載のタイルマットにおいて、
前記樹脂マットは、その上面に一枚のタイルまたは複数枚のタイルを所定の配列状態に並べて接合できる大きさで形成されていることを特徴とするタイルマット。
【考案の詳細な説明】
【技術分野】
【０００１】
本考案は、建築材料、特に建築物における床または壁面、あるいはバルコニーやベランダ等に敷設される建材マットとしてのタイルマットに関し、特にタイルを固定するための樹脂マット及びこの樹脂マットを基材とし、その表面に建材としてのタイルを敷設することによって構成されるタイルマットに関する。
【背景技術】
【０００２】
従来、建材としてのタイルは、下地材上に所定の配列状態で並べてモルタル、接着剤等で下地材に固着した構造となっており、施工が面倒かつ煩雑で、しかも作業に熟練を要し、工期も長くなる等の問題があった。
【０００３】
このため、近年では、上述したような作業性などの問題点を一掃するために、樹脂マット上に複数枚のタイルを所要の配列状態に並べて配置させ、それぞれを接着剤で接合固定してなるタイルマットが用いられるようになってきている（例えば、特許文献１，２等参照）。
【０００４】
すなわち、従来この種のタイルマットにおいて、特許文献１のタイルマットでは、樹脂マット上の所定個所に接着剤を充填させるための凹部を設け、該凹部内に接着剤を充填し、タイル裏面との間を接合することで、タイルを樹脂マットに固定している。
【０００５】
また、特許文献２のタイルマットでは、樹脂マット上に貫通孔を設けることにより、接着剤をタイル裏面と樹脂マットとの間に充填してこれらを接合固定している。
【先行技術文献】
【特許文献】
【０００６】
【特許文献１】特許第２７８３１２７号公報
【特許文献２】特許第３６５４２８９号公報
【考案の概要】
【考案が解決しようとする課題】
【０００７】
しかし、上述した従来のタイルマットでは、基材である樹脂マット上にタイルが接着剤で接合され、完全に固定されていることから、一度固定したらタイルの組み合わせを変えることができないという問題があった。
【０００８】
すなわち、この種のタイルマットは、基材としの樹脂マット上に複数枚のタイルを所要の配列状態で並べて設けることにより、このタイルマットをその施工場所に敷き詰めればよいことから施工が簡便であり、施工性に優れているとして、バルコニーやベランダ等に多用されつつある。
【０００９】
特に、この種のタイルマットは、通常、タイルの剥がれ等を防ぐために、タイルを接着剤で樹脂マットに強固に接着固定しているものである。
その一方において、この種のタイルマットには、施工場所に一旦敷き詰めた後、タイルの組み合わせを変えたり、材質、模様などの異なるタイルに変更したりし、建材としての多様化を図ること等も望まれているものであって、このような相反する要求に応えることができることが要望されている。
【００１０】
本考案はこのような事情に鑑みてなされたものであり、タイルを固定するための樹脂マット及びこの樹脂マットにタイルを組み合わせて固定してなるタイルマットにおいて、タイルを樹脂マット上に着脱可能に接合固定することで、タイルの組み合わせ等を変更可能とする樹脂マット及びこれを用いたタイルマットを得ることを目的とする。
【課題を解決するための手段】
【００１１】
このような目的に応えるために本考案（請求項１記載の考案）に係る樹脂マットは、タイルを固定するための樹脂マットであって、前記樹脂マットは、その上面に前記タイルを接合させるための接合部を備え、この接合部には、前記タイルの下面に突設されている嵌合突部を着脱可能に嵌合保持する嵌合穴が貫通して設けられ、この嵌合穴の穴周縁部には、複数の爪状弾性片が周方向の所定間隔をおいた位置から内向きに突設され、これらの爪状弾性片は、前記嵌合穴に前記タイルの嵌合突部が嵌合されたときに弾性変形して該嵌合突部の抜けだしを係止保持するように構成されていることを特徴とする。
【００１２】
本考案（請求項２記載の考案）に係る樹脂マットは、請求項１において、前記嵌合穴の穴周縁部は、薄肉状のすり割り片として形成されていることを特徴とする。
【００１３】
本考案（請求項３記載の考案）に係る樹脂マットは、請求項１または請求項２において、前記樹脂マットは、その上面に一枚のタイルまたは複数枚のタイルを所定の配列状態に並べて接合できる大きさで形成されていることを特徴とする。
【００１４】
本考案（請求項４記載の考案）に係るタイルマットは、樹脂マットと、この樹脂マット上に固定されるタイルからなるタイルマットにおいて、前記樹脂マット上の所定個所に嵌合穴を形成するとともに、前記タイルの下面に、前記嵌合穴に着脱可能に嵌合する嵌合突部を突設したことを特徴とする。
【００１５】
本考案（請求項５記載の考案）に係るタイルマットは、請求項４において、嵌合穴は、樹脂マット上に設けた穴周縁部から内向きに突設した複数の爪状弾性片を備え、これらの爪状弾性片により嵌合突部を弾性保持するように構成されていることを特徴とする。
【００１６】
本考案（請求項６記載の考案）に係るタイルマットは、請求項４または請求項５において、嵌合穴の穴周縁部は、薄肉状のすり割り片として形成されていることを特徴とする。
【００１７】
本考案（請求項７記載の考案）に係るタイルマットは、請求項４ないし請求項６のいずれか１項において、嵌合突部は、先端部よりも小径な首部を有していることを特徴とする。
【００１８】
本考案（請求項８記載の考案）に係るタイルマットは、請求項４ないし請求項７のいずれか１項において、樹脂マットは、その上面に一枚のタイルまたは複数枚のタイルを所定の配列状態に並べて接合できる大きさで形成されていることを特徴とする。
【考案の効果】
【００１９】
以上説明したように本考案に係るタイルマットによれば、樹脂マットの嵌合穴の穴周縁部に設けた複数の爪状弾性片等で弾力を持たせ、その弾力でタイル裏面の嵌合突部を嵌合させて保持固定することで着脱自在とし、これによりタイルを必要に応じて取り外してタイルの組み合わせを変えることができる。したがって、タイルマットにおいて、タイルの材質や模様、さらに配列などを必要に応じて変えて、その多様化を図ることができる。
【００２０】
さらに、本考案によれば、従来のような接着剤による接着固定が不要となるため、装着時の作業性に優れ、作業時間の大幅な短縮化を図ることができる。
【図面の簡単な説明】
【００２１】
【図１】本考案に係る樹脂マット及びこれを用いたタイルマットの一実施形態を示し、全体の概略構成を示す分解斜視図である。
【図２】図１のタイルマットを示す概略斜視図である。
【図３】本考案を特徴づける樹脂マットとタイルとの着脱可能な嵌合構造を説明するための概略分解斜視図である。
【図４】（ａ），（ｂ）は図３の嵌合構造を説明するための断面図である。
【図５】本考案に係る樹脂マット及びこれを用いたタイルマットの別の実施形態を示し、一つのタイルとこれに対応する樹脂マットによるタイルマットを示す分解斜視図である。
【図６】本考案に係る樹脂マット及びこれを用いたタイルマットの他の実施形態を示し、タイルと樹脂マットとの関係を適宜設定した例を説明するための概略説明図である。
【考案を実施するための形態】
【００２２】
図１ないし図４は本考案に係る樹脂マット及びこれを用いたタイルマットの一実施形態を示すものであり、これらの図において、この実施形態では、タイルマット１０として、図１および図２に示すように、９枚のタイル２０を正方形状の樹脂マット３０上に３×３の配列状態に並べて設けた場合を説明する。
【００２３】
これを簡単に説明すると、符号１０は、建材マットとして、例えば床面、壁面、あるいはバルコニーやベランダ等に敷き詰められることで、該施工場所を体裁のよいタイル模様の化粧を施すことができるタイルマットであり、９枚のタイル２０とこれを所要の配列状態で並べる樹脂マット３０とによって構成されている。
【００２４】
ここで、上述したタイル２０は、例えば９．５ｃｍ角の正方形状に形成された板材であって、適宜の材質で形成され、その表面には、適宜の色彩、その他模様などが必要に応じて付されている。
【００２５】
前記樹脂マット３０は、上述したタイル２０を所定間隔をおいて３×３の配列で敷設できる大きさ、例えば３０ｃｍ角の正方形状の板材であって、この実施形態では、３×３の計９個所にタイル接合部を有している。
【００２６】
なお、図中３１は連結腕、３２は該連結腕３１が係合する連結凹部であり、それぞれが樹脂マット３０の各々二辺づつの側面部に突設または凹設されている。これらの連結腕３１を隣接する樹脂マット３０の連結凹部３２に順次連結させることにより、複数枚の樹脂マット３０を順次連結して敷設することができる。
また、図中３３は樹脂マット３０の下面に突設された脚部、３１ａは連結腕３１の下面に突設された脚部である。
【００２７】
前記樹脂マット３０上のタイル２０を接合するための各接合部には、図１、図３、図４に示すように、４隅に嵌合穴３５が貫通して設けられ、前記タイル２０の下面に設けた嵌合突部２１が嵌合することにより、着脱可能に嵌合固定するように構成されている。また、各嵌合突部２１は、先端部よりも小径な首部２１ａを有している。
【００２８】
ここで、嵌合穴３５の穴周縁部は、図３に示すように、複数の薄肉状のすり割り片３６として周方向に沿って形成されている。また、これらのすり割り片３６間には、複数の爪状弾性片３７が、穴周縁部から内向きに突設することにより形成されている。
【００２９】
以上の構成によれば、樹脂マット３０上の各接合部に対し、タイル２０を順次積み重ね、その嵌合突部２１を嵌合穴３５に嵌合させることにより、タイル２０を樹脂マット３０に着脱自在に嵌合保持させることができる。
【００３０】
この状態を図４（ａ），（ｂ）に示しており、嵌合突部２１を嵌合穴３５に嵌合させることで、爪状弾性片３７が弾性変形し、該嵌合突部２１の先端頭部を首部２１ａ側から係止することにより、タイル２０を樹脂マット３０の接合部に着脱自在に嵌合保持させることができる。
【００３１】
また、この状態からタイル２０を強制的に剥がし、嵌合突部２１を嵌合穴３５から引き抜くことにより、爪状弾性片３７は上述したとは逆に弾性変形し、嵌合状態を解除することができる。
【００３２】
したがって、このような嵌合構造による樹脂マット３０とタイル２０とによるタイルマット１０によれば、該タイルマット１０を敷設する建築物の床面あるいは壁面等といった施工場所に樹脂マット３０を順次敷設し、接着剤その他の固定手段で固定した後、タイル２０を順次樹脂マット３０の各接合部に組み付けて嵌合させることにより、タイル２０を樹脂マット３０に組み付け固定することができる。
【００３３】
また、このようなタイルマット１０によれば、タイル２０を引きはがして嵌合状態を外すことにより、タイル２０を簡単に取り外すことが可能であり、模様替えを行ったりする際に便利である等といった利点がある。
【００３４】
なお、本考案は上述した実施の形態で説明した構造には限定されず、各部の形状、構造等を適宜変形、変更し得ることはいうまでもない。
例えば、上述した実施形態では、９枚のタイル２０を樹脂マット３０に３×３の配列で並べて設けた場合を説明したが、本考案はこれに限定されず、例えば図５に示すように、１枚のタイル２０を接合する接合部をもつ樹脂マット３０であってもよい。
ここで、図５中３９は穴であり、樹脂マット３０の成形時において成形性の向上や樹脂材料の削減等を図るためのものである。
【００３５】
さらに、タイル２０の配列としては、３枚、４枚の構成によるものは勿論、８枚、１２枚、３６枚等の構成によるものであってもよいことも言うまでもない。
また、タイル２０の大きさや樹脂マット３０の大きさなどとしても、種々の変形例が考えられる。
【００３６】
例えば図６（ａ）は、タイル２０の大きさを大きくし、同程度の大きさをもつ樹脂マット３０に重ね合わせた例を、同図（ｂ）は４枚のタイル２０を樹脂マット３０上に並べた状態を、同図（ｃ）は、縦長なタイル２０を樹脂マット３０上に並べた状態を、同図（ｄ）は縦長の樹脂マット３０上にタイル２０を重ね合わせた状態を示す。
【００３７】
要は、樹脂マット３０は、その上面に一枚のタイル２０または複数枚のタイル２０が所定の配列状態に並べて接合できる大きさで形成されておればよい。このようにすれば、タイルマット１０として多様な形状と大きさをもつものを得ることができるものであり、施工場所に応じて適宜選択すればよい。
【００３８】
さらに、上述したタイル２０としては、例えば木材のもの、セラミック製のもの、天然石のもの、さらにコンクリート材等といったその他の材質でできたもの等、適宜のものを提供できるものであり、要はタイル２０の裏面に嵌合突部２１を設け、これを着脱自在に相手の嵌合穴３５に嵌合保持させ得るものであればよい。
【００３９】
また、上述した実施形態では、上記した樹脂マット３０を、耐久性や耐候性に優れた樹脂であって、こうしたタイルマットの樹脂マット３０として一般的な樹脂材料、例えば、ＰＥ（ポリエチレン）やＥＶＡ（エチレン-酢酸ビニル共重合樹脂）から型成型したものを用いるとよい。勿論、これに限定されないことも言うまでもない。
【００４０】
樹脂マット３０の接合部に設ける嵌合穴３５としても、タイル２０の四隅に位置する４個の嵌合穴に限らず、１個、あるいは２個以上の嵌合穴３５を設けることは自由である。
【符号の説明】
【００４１】
１０  タイルマット（建材マット）
２０  タイル
２１  嵌合突部
２１ａ  首部
３０  樹脂マット
３１  連結腕
３１ａ  脚部
３２  連結凹部
３３  脚部
３５  嵌合穴
３６  薄肉状のすり割り片
３７  爪状弾性片
３９  穴
【図１】
0003166366.tif 000003
【図２】
0003166366.tif 000004
【図３】
0003166366.tif 000005
【図４】
0003166366.tif 000006
【図５】
0003166366.tif 000007
【図６】
0003166366.tif 000008